(57)【要約】歩行時、走行時や運動時において靴の中で靴下が滑りないようにし靴の中で足が遊ばない構成を備える靴下を提供することを課題とする。足底部と、足内側部と、足外側部と、足甲部と、足首部と、踵部とを備えた靴下であって、少なくとも、前記足内側部に対応させた範囲、前記足外側部に対応させた範囲、又は、前記足甲部に対応させた範囲のうち１つ以上の範囲において、靴の内側に接する面及び足に接する面のうちの少なくとも１つ以上の面に滑り止め部材を設けた靴下によって課題解決できた。
2018100624.tif 000002
【特許請求の範囲】
【請求項１】
足底部と、足内側部と、足外側部と、足甲部と、足首部と、踵部とを備えた靴下であって、
少なくとも、前記足内側部に対応させた範囲、前記足外側部に対応させた範囲、及び、前記足甲部に対応させた範囲のうち１つ以上の範囲において、靴の内側に接する面及び足に接する面のうちの少なくとも１つ以上の面に滑り止め部材を設けたことを特徴とする靴下。
【請求項２】
前記足内側部に対応する範囲に設ける足内側滑り止め部材を、第１中足骨部に対応する範囲、又は、内果の下方であって上下方向が内果下から足底に至る範囲で前後方向が距骨から踵骨の範囲に対応する範囲に設けたことを特徴とする請求項１に記載の靴下。
【請求項３】
前記足外側部に対応する範囲に設ける足外側滑り止め部材を、第５中足骨部に対応する範囲、又は、外果の下方であって上下方向が外果下から足底に至る範囲で前後方向が第５中足骨から踵骨の範囲に対応する範囲に設けたことを特徴とする請求項１に記載の靴下。
【請求項４】
前記足甲部に対応させた範囲に設ける足甲側滑り止め部材を、前記足甲部における第１中足骨の足の表面に対応する範囲に設けたことを特徴とする請求項１に記載の靴下。
【請求項５】
前記足底部に対応する範囲に足底部滑り止め部材を設けたことを特徴とする請求項１から４のいずれかに記載の靴下。
【請求項６】
前記各部位の滑り止め部材が、ゴム製又はプラスチック製であり、形態が少なくとも点状体、線状体及び面状体の内のいずれか一つ以上の形態を有することを特徴とする請求項１〜５のいずれかに記載の靴下。
【請求項７】
前記各部位の滑り止め材の形態が、前後方向の線状体を左右方向又は上下方向に設ける形態と、前後方向に対して斜設させた線状体を前後方向に設ける形態と、上下方向の線状体を前後方向に設ける形態とのうちのいずれか１つ以上の組合せの形態を有することを特徴とする請求項１〜６のいずれかに記載の靴下。
【発明の詳細な説明】
【技術分野】
【０００１】
本発明は、歩行時、走行時や運動時などにおいて、靴に対して靴下が滑らない靴下に関する。
【背景技術】
【０００２】
特許文献１には、足の親指の付け根と小指の付け根とを結ぶ線よりつま先側に対応する前方足底部領域と、踵の後側面対応領域の摩擦係数が、他の領域の摩擦係数に比べて高い靴下が開示されている。【０００３】
特許文献２には、一対の左足用靴下及び右足用靴下からなる靴下において、前記左足用靴下の足底部の表地面における右側半分の領域のうち着用者の左足の少なくとも第５趾及び第５中足骨に対応する領域に滑り止め部材が配設され、前記右足用靴下の足底部の表地面における右側半分の領域のうち着用者の右足の少なくとも母趾及び第１中足骨に対応する領域に滑り止め部材が配設された靴下が開示されている。【０００４】
特許文献３には、靴下本体の足裏部の内側と外側にそれぞれ前記足裏部の内側滑り止め部材と前記足裏部の外側滑り止め部材を設け、靴下本体のかかと部の内側と外側にそれぞれ前記かかと部の内側滑り止め部材と前記かかと部の外側滑り止め部材を設けた靴下が開示されている。【０００５】
特許文献４には、メリヤス編みされた筒状の編地における足裏部分に対応する一部の筒状の編地部分が、摩擦糸を編み込んだ他の編地部分よりも摩擦係数が大きな摩擦領域に構成されているとともに、この摩擦領域の踵側に隣接する筒状の編地部分が、筒状編地の長手方向と直交する外周方向に緩衝糸を編み込んで他の編地部分よりも筒状編地の長手方向での伸縮率が小さな緩衝領域に構成され、前記摩擦領域と緩衝領域とから滑り止め補償部が構成され、前記緩衝領域の筒状長さが摩擦領域の筒状長さよりも短く構成されている滑り止め機能付き靴下が開示されている。
【先行技術文献】
【特許文献】
【０００６】
【特許文献１】実用新案登録第３１１０４５５号公報
【特許文献２】特開２０１４−１０１５８７号公報
【特許文献３】実用新案登録第３２０１３３６号公報
【特許文献４】特許第４４８８９３２号公報
【発明の概要】
【発明が解決しようとする課題】
【０００７】
特許文献１に記載の考案は、特許文献１の段落［００１３］に「後側面対応領域の摩擦係数が高いために、歩行時に踵をあげたとき、靴の荷重の一部がこの領域に集中してかかるが、上部の滑り止め部材の列が、踵の上部のくびれ部に掛かって靴下のずり下がりを抑制する。」と記載されているように、歩行時、走行時や運動時などにおいて、靴の中で足が遊ばないようにする滑り止めではないという問題があった。【０００８】
特許文献２に記載の発明は、足底部の表裏面に滑り止め部材が配設されているが、歩行時、走行時や運動時において、踵部が靴から浮き上がったりして靴と靴下とが上下方向で隙間が生じたときに靴と靴下とが左右方向や前後方向に滑ってしまうという問題があった。【０００９】
特許文献３に記載の考案は、足裏部と踵部の内側と外側に滑り止め部材が配設されているが、歩行時、走行時や運動時において、踵部が靴から浮き上がったりして靴と靴下とが上下方向で隙間が生じたときに靴と靴下とが左右方向や前後方向に滑ってしまうという問題があった。【００１０】
靴下の生地に摩擦糸を編み込んだ摩擦領域とこの摩擦領域よりも伸縮率が小さい素材で編み込んだ緩衝領域とで滑り止め部を形成しているが、歩行時に靴と靴下との摩擦による引っ掛かり感を弱めることを狙いとしており、運動時等のように靴に対して足の力が強く作用する場合には滑り止め部の効果が生じにくく、靴と靴下とが滑るという問題があった。【００１１】
本発明はこうした問題に鑑み創案されたもので、歩行時、走行時や運動時において靴の中で靴下が滑りないようにし靴の中で足が遊ばない構成を備える、又は、靴下と足とが滑らない構成を備える靴下を提供することを課題とする。
【課題を解決するための手段】
【００１２】
請求項１に記載の靴下１は、足底部２０と、足内側部２１と、足外側部２２と、足甲部２３と、足首部２４と、踵部２５とを備えた靴下１であって、少なくとも、前記足内側部２１に対応させた範囲、前記足外側部２２に対応させた範囲、及び、前記足甲部２３に対応させた範囲のうち１つ以上の範囲において、靴の内側に接する面及び足に接する面のうちの少なくとも１つ以上の面に滑り止め部材を設けたことを特徴とする。【００１３】
請求項２に記載の靴下１は、請求項１において、前記足内側部２１に対応する範囲に設ける足内側滑り止め部材３を、第１中足骨部に対応する範囲、又は、内果の下方であって上下方向が内果下から足底に至る範囲で前後方向が距骨から踵骨の範囲に対応する範囲に設けたことを特徴とする。【００１４】
請求項３に記載の靴下１は、請求項１において、前記足外側部２２に対応する範囲に設ける足外側滑り止め部材４を、第５中足骨部に対応する範囲、又は、外果の下方であって上下方向が外果下から足底に至る範囲で前後方向が第５中足骨から踵骨の範囲に対応する範囲に設けたことを特徴とする。【００１５】
請求項４に記載の靴下１は、請求項１において、前記足甲部２３に対応させた範囲に設ける足甲側滑り止め部材５を、前記足甲部２３における第１中足骨の足の表面に対応する範囲１７に設けたことを特徴とする。【００１６】
請求項５に記載の靴下１は、請求項１から４のいずれかにおいて、前記足底部２０に対応する範囲に足底部滑り止め部材２を設けけたことを特徴とする。【００１７】
請求項６に記載の靴下１は、請求項１〜５のいずれかにおいて、前記各部位の滑り止め部材が、ゴム製又はプラスチック製であり、形態が少なくとも点状体、線状体及び面状体の内のいずれか一つ以上の形態を有することを特徴とする。【００１８】
請求項７に記載の靴下１は、請求項１〜６のいずれかにおいて、前記各部位の滑り止め部材の形態が、前後方向の線状体を左右方向又は上下方向に設ける形態と、前後方向に対して斜設させた線状体を前後方向に設ける形態と、上下方向の線状体を前後方向に設ける形態とのうちのいずれか１つ以上の組合せの形態を有することを特徴とする。
【発明の効果】
【００１９】
請求項１から４のいずれかに記載の靴下１は、靴の内部に滑り止め用のインソールを敷いた場合であっても、例えば歩行や走行時で前方に進むために足指に力を入れたときや運動時で左右方向で向きを急に変えたりするときに、靴下と靴とが滑るという問題、又は、靴下と足とが滑るという問題が生じているが、足内側部２１に対応させた範囲、足外側部２２に対応させた範囲、及び、足甲部２３に対応させた範囲のうち１つ以上の範囲に滑り止め部材を設けたことにより、前記滑り止め部材の靴に対する滑り摩擦を大きくするので靴下と靴とをより滑りにくくさせることができるという効果を奏する。【００２０】
また、例えば歩行や走行時で前方に進むために足指に力を入れたときや、運動時で左右方向で向きを急に変えたりするときに、靴と靴下との間に隙が生じているが、本発明の靴下１は足内側部２１に対応させた範囲、足外側部２２に対応させた範囲、及び、足甲部２３に対応させた範囲のうち１つ以上の範囲に設けた滑り止め部材が、靴に対して常時当接状態であるので靴の中で足との隙が生じにくく足の靴に対する高いフィット感を感じさせるという効果を奏する。【００２１】
請求項５に記載の靴下１は、靴の内部に滑り止め用のインソールを使用しない場合であっても、靴下と靴とをより滑りにくくさせることができ、足の靴に対する高いフィット感を感じさせるという効果を奏する。【００２２】
請求項６に記載の靴下１は、滑り止め部材として点状体又は線状体の突起物の形態としたので、歩行時や走行時や運動時に点状体、線状体又は面状体の突起物が靴に当接して滑り摩擦を大きくするので、靴と靴下１との滑り防止を実現できるとともに足にフィットしやすいという効果を奏する。また、靴下１の全域を靴と当接させないので靴下の有する布地の柔らかさを保持でき履きやすいという効果も奏する。【００２３】
請求項７に記載の靴下１は、前記足底部滑り止め部材２、前記足内側滑り止め部材３、前記足外側滑り止め部材４又は前記足甲側滑り止め部材５を、単数又は複数の前後方向の線状体を左右方向又は上下方向に設ける形態と、単数又は複数の前後方向に対して斜設させた線状体を前後方向に設ける形態と、又は、単数又は複数の上下方向の線状体を前後方向に設ける形態とを組合せて設けるため、靴下１の部位によって異なる、靴と靴下１との滑り摩擦の方向を考慮して靴に対する靴下１の滑り摩擦をいっそう大きくでき、靴に対して靴下１を更に滑りにくくするという効果を奏する。あるいは、靴下１と足との滑り摩擦の方向を考慮して足に対する靴下１の滑り摩擦をいっそう大きくでき、足に対して靴下１を更に滑りにくくするという効果を奏する。
【図面の簡単な説明】
【００２４】
【図１】本発明の請求項１の足内側に対応する範囲に点状体の滑り止め部材を設けた場合の右足用の靴下の内側の右側面図である。
【図２】本発明の請求項１の足外側に対応する範囲に点状体の滑り止め部材を設けた場合の右足用の靴下の外側の左側面図である。
【図３】本発明の請求項１の足甲部に対応する範囲に点状体の滑り止め部材を設けた場合の右足用の靴下の平面図である。
【図４】本発明の請求項２の滑り止め部材が線状体の場合の右足用の靴下の内側の右面側図である。
【図５】本発明の請求項３の滑り止め部材が線状体の場合の右足用の靴下の外側の左側面図である。
【図６】本発明の請求項４の滑り止め部材が線状体の場合の右足用の靴下の平面図である。
【図７】本発明の請求項５の滑り止め部材が点状体の場合の右足用の靴下の底面図である。
【図８】本発明の請求項５の滑り止め部材が点状体や線状体の場合の右足用の靴下の底面図である。
【図９】本発明の請求項３の滑り止め部材が点状体の場合の右足用の靴下の外側の左側面図である。
【発明を実施するための形態】
【００２５】
本発明の靴下１は、図１から図８に示すように、足底部２０と、足内側部２１と、足外側部２２と、足甲部２３と、足首部２４と、踵部２５とを備えた靴下１である。そして、少なくとも、前記足内側部２１に対応させた範囲、前記足外側部２２に対応させた範囲、及び、前記足甲部２３に対応させた範囲のうち１つ以上の範囲において、靴の内側に接する面及び足に接する面のうちの少なくとも１つ以上の面に滑り止め部材を設けている。
【００２６】
本発明の靴下１の適用対象の靴としては、運動靴、ハイヒール、スニーカー、婦人靴、紳士靴、登山靴、安全靴などのすべての靴が対象であり、さらには前記靴の中に滑り止め機能を設けたインソールを使用する場合も対象である。
【００２７】
靴と靴下との滑りは、靴と靴下との隙が生じた個所に生じやすく、また、靴と靴下とが当接していても滑り摩擦が小さい個所に生じやすい。また、靴と靴下との間に隙が生じたり滑りが生じることにより、足の靴に対するフィット感を感じにくい。
【００２８】
そこで、靴と靴下との滑り止めとしては、一般的に靴下自体の足底部に対応する範囲に滑り止めを設ける形態、又は、靴の中に滑り止め用インソールを敷く形態があるが、走行時や運動時には靴と靴下とが滑るという状況が生じている。
【００２９】
走行時においては、例えば、前方に体重移動させながら地面に対して足を上げ下ろしする動作を繰り返すが、前方に進むために足指に力を入れたときに、足内側部２１に対応させた範囲、足外側部２２に対応させた範囲、又は、足甲部２３に対応させた範囲において靴と靴下との隙が生じる場合や、足底部に対応させた範囲において靴に敷いたインソールと靴下との滑り摩擦が小さい場合や足指から靴に及ぼす力が前記滑り摩擦力を上回る場合に、靴と靴下との間に滑りが生じる。靴と、滑り止め部材を足底部に対応させた範囲に設けた靴下との滑り摩擦が小さい場合や足指から靴に及ぼす力が前記滑り摩擦力を上回る場合も靴と靴下との間に滑りが生じる。
【００３０】
運動時においては、例えば、身体を左右方向に鋭く方向転換をする瞬間に足が靴の中で次に向かう方向の逆方向側の靴の内壁に強く当接するときに、足が強く当接した反対側となる足内側部２１に対応させた範囲又は足外側部２２に対応させた範囲、あるいは、前記足甲部２３に対応させた範囲において靴と靴下との隙が生じる場合や、あるいは、足底部に対応させた範囲おいて、足底が斜めになって靴又はインソールと靴下との滑り摩擦が小さい場合や、足底が斜めになって靴又はインソールと靴下との滑り摩擦が足の靴に対して横方向に与える力より小さい場合に、靴と靴下との間に滑りが生じる。
【００３１】
そこで本発明の靴下１は、靴に対する靴下１の常時当接する部位を靴下１の足内側部２１、足外側部２２、足甲部２３及び足底部２０に対向する部位の中から少なくとも一つ以上の部位に滑り止め部材を設け、かつ当接範囲の滑り摩擦を靴と靴下との滑り方向を踏まえて大きくなるようにする靴下１である。また、靴下１と足とを滑りにくくするために靴下１と足との滑り摩擦を大きくする靴下１である。
【００３２】
各部位の滑り止め部材として、足底部滑り止め部材２、足内側滑り止め部材３、足外側滑り止め部材４又は足甲部滑り止め部材５の滑り止め部材は、ゴム製又はプラスチック製であり、形態が少なくとも点状体、線状体及び面状体の内のいずれか一つ以上の形態を有する。形態を図１から図３、図８に示すように点状体や、図４や図５に示すように線状体としたことにより、滑りにくくかつ布地としての柔らかさを有する。前記点状体や線状体の数は単数（図示なし）でもよく又は複数でもよい。
【００３３】
次に、前記足内側滑り止め部材３について、図１又は図４により説明する。前記足内側滑り止め部材３を、図１に示すように第１中足骨部から踵骨までに対応させた範囲８に設ける。より好ましくは、図４に示すように前記足内側滑り止め部材３を、第１中足骨部に対応する範囲１１、又は／及び、内果３０の下方であって上下方向が内果３０下から足底に至る範囲で前後方向が距骨から踵骨の範囲１４に対応する範囲に設ける。そして、前記足内側滑り止め部材３を、靴の内側に接する面及び足に接する面のうちの少なくとも１つ以上の面に設ける。
【００３４】
前記足内側滑り止め部材３は、図１に示すように点状体の形態、図４の第１中足骨部に対応する範囲１１に示すように複数の前後方向の線状体を上下方向に複数列設させる形態、複数の前後方向に対して斜設させた線状体を前後方向に複数列設させる形態、又は、図４の内果３０下から足底に至る範囲で前後方向が距骨から踵骨の範囲１４に示すように複数の上下方向の線状体を前後方向に複数列設させる形態のうちから組合せて設ける。前記点状体や線状体の数は単数（図示なし）でもよい。
【００３５】
第１中足骨部に対応する範囲１１は、中足骨部が足のもっとも横幅の広い部位であり、靴の内面と靴下を履いた足が最も強く当接する部位であるので、第１中足骨部に対応する範囲１１に足内側滑り止め部材３を設けて靴と靴下１との滑り摩擦を大きくすることにより、靴と靴下１と、又は、靴下１と足とを滑りにくくできる。
【００３６】
内果３０の下方であって上下方向が内果３０下から足底に至る範囲で前後方向が距骨から踵骨の範囲１４は、内果３０の下方の足の横幅は足底側が広く内果３０側に近づくほど狭くなるので、一般的に歩行時でも靴が脱げるという状況が生ずることがある。そこで、内果３０下から足底に至る範囲で前後方向が距骨から踵骨の範囲１４に足内側滑り止め部材３を設けて靴と靴下１とを当接させかつ滑り摩擦を大きくすることにより、靴と靴下１と又は、靴下１と足とを滑りにくくできる。
【００３７】
次に、前記足外側滑り止め部材４について、図２又は図５により説明する。前記足外側滑り止め部材４を、図２に示すように第５中足骨部から踵骨までに対応させた範囲９に設ける。より好ましくは、図５に示すように前記足外側滑り止め部材４を、第５中足骨部に対応する範囲１５に対応する範囲、又は／及び、外果３１の下方向であって上下方向が外果３１下から足底に至る範囲で前後方向が第５中足骨から踵骨の範囲１６に対応する範囲に設ける。そして、前記足内側滑り止め部材３を、靴の内側に接する面及び足に接する面のうちの少なくとも１つ以上の面に設ける。
【００３８】
前記足外側滑り止め部材４は、図２に示すように点状体の形態、図５の第５中足骨部に対応する範囲１５に示すように複数の前後方向の線状体を上下方向に複数列設させる形態、複数の前後方向に対して斜設させた線状体を前後方向に複数列設させる形態、又は、図５の果３１下から足底に至る範囲で前後方向が第５中足骨から踵骨の範囲１６に示すように複数の上下方向の線状体を前後方向に複数列設させる形態のうちから組合せて設ける。前記点状体や線状体の数は単数（図示なし）でもよい。
【００３９】
前記第５中足骨部に対応する範囲１５は、中足骨部が足のもっとも横幅の広い部位であり、靴の内面と靴下を履いた足が最も強く当接する部位であるので、第５中足骨部に対応する範囲１５に足外側滑り止め部材４を設けて靴と靴下１との滑り摩擦を大きくすることにより、靴と靴下１と又は、靴下１と足とを滑りにくくできる。
【００４０】
前記外果３１の下方向であって上下方向が外果３１下から足底に至る範囲で前後方向が距骨から踵骨の範囲１６は、外踝３１の下方の足の横幅は足底側が広く外果３１側に近づくほど狭くなるので、一般的に歩行時でも靴が脱げるという状況が生ずることがある。そこで、外踝３１下から足底に至る範囲で前後方向が第５中足骨から踵骨の範囲１６に足外側滑り止め部材４を設けて靴と靴下１とを当接させかつ滑り摩擦を大きくすることにより、靴と靴下１と又は、靴下１と足とを滑りにくくできる。
【００４１】
次に、足甲側滑り止め部材５について図３又は図６により説明する。前記足甲側滑り止め部材５は、前記足甲部２３における第１中足骨の足の表面に対応する範囲１７に設ける。前記足甲側滑り止め部材５の形態は、図３に示すように点状体の形態、図６に示すように複数の前後方向の線状体を左右方向に複数列設させる形態、複数の前後方向に対して斜設させた線状体を左右方向や前後方向に複数列設させる形態、又は、複数の左右方向の線状体を前後方向に複数列設させる形態のうちから組合せて設ける。そして、前記足内側滑り止め部材３を、靴の内側に接する面及び足に接する面のうちの少なくとも１つ以上の面に設ける。前記点状体や線状体の数は単数（図示なし）でもよい。
【００４２】
足の第１中足骨の部位は第１〜第５の中足骨の中で最も厚みがある部位であるので、靴の内面に第１中足骨に対応する足の甲側が第１〜第５の中足骨の中で最も強く当接する。この最も強く当接する部位である第１中足骨の足の表面に対応する範囲１７に足甲滑り止め部材５を設けて靴と靴下１との滑り摩擦を大きくすることにより、靴と靴下１とを滑りにくくできる。
【００４３】
次に、足底部２０に対応する範囲に設ける足底部滑り止め部材２について、図７又は図８により説明する。前記足底部滑り止め部材２を、中足骨部周辺６及び踵骨に対応する範囲７に設ける。より好ましくは、前記足底部滑り止め部材２を、前記足底部２０における、親指に対応する範囲１０、第１中足骨部に対応する範囲１１、第２中足骨から第５中足骨に対応する範囲１２、及び、踵骨の範囲であって中央部からつま先側の範囲に対応する範囲１３に設ける。そして、前記足内側滑り止め部材３を、靴の内側に接する面及び足に接する面のうちの少なくとも１つ以上の面に設ける。
【００４４】
前記足底部滑り止め部材２は、図７に示すように点状体の形態、図８の第１中足骨頭部に対応する範囲１１や第２中足骨から第５中足骨に対応する範囲１２に示すように複数の前後方向の線状体を左右方向に複数列設させる形態、図８の親指に対応する範囲１０や踵骨の範囲であって中央部からつま先側の範囲１３に示すように複数の前後方向に対して斜設させた線状体を左右方向や前後方向に複数列設させる形態、又は、複数の左右方向の線状体を前後方向に複数列設させる形態のうちから組合せて設ける。前記点状体や線状体の数は単数（図示なし）でもよい。
【００４５】
前記足底部２０における親指に対応する範囲１０は、指先の範囲では親指の足裏に最も力がかかるので、前記親指に対応する範囲１０に足底滑り止め部材２を設けて靴と靴下１との滑り摩擦を大きくすることにより、靴と靴下１又は、靴下１と足とを滑りにくくできる。
【００４６】
前記第１中足骨部に対応する範囲１１は、特にハイヒールを履いたときには中足骨部に足の前方向の力が集中してかかり、運動時では身体を左右方向に搖動させるときには第１中足骨部に足の左右方向の力が集中してかかるので、前記第１中足骨部に対応する範囲１１に足底滑り止め部材２を設けて靴と靴下１との滑り摩擦を大きくすることにより、靴と靴下１とを滑りにくくできる。
【００４７】
前記第２中足骨から第５中足骨に対応する範囲１２は、足裏の部位の内では靴に当接する範囲が最も広い部位であるので、前記第２中足骨から第５中足骨に対応する範囲１２に足底滑り止め部材２を設けて靴と靴下１との滑り摩擦を大きくすることにより、靴と靴下１とを滑りにくくできる。
【００４８】
前記踵骨の範囲であって中央部からつま先側の範囲１３は、踵は体重が最もかかる部位であるが踵の指先側の部位は上下方向で隙が生じるため、踵骨の範囲であって中央部からつま先側の範囲１３に足底滑り止め部材２を設けて靴と靴下１との滑り摩擦を大きくすることにより、靴と靴下１とを滑りにくくできる。
【符号の説明】
【００４９】
１        靴下
２        足底部滑り止め部材
３        足内側滑り止め部材
４        足外側滑り止め部材
５        足甲側滑り止め部材
６        中足骨頭部周辺
７        踵骨に対応する範囲
８        第１中足骨頭部から踵骨までに対応させた範囲
９        第５中足骨頭部から踵骨までに対応させた範囲
１０      親指に対応する範囲
１１      第１中足骨頭部に対応する範囲
１２      第２中足骨から第５中足骨に対応する範囲
１３      踵骨の範囲であって中央部からつま先側の範囲
１４      内果の下方であって上下方向が内果下から足底に至る範囲で前後方向が距骨から踵骨の範囲
１５      第５中足骨頭部に対応する範囲
１６      外果の下方であって上下方向が外果下から足底に至る範囲で前後方向が距骨から踵骨の範囲
１７      第１中足骨の足の表面に対応する範囲
２０      足底部
２１      足内側部
２２      足外側部
２３      足甲部
２４      足首部
２５      踵部
３０      内果
３１      外果
【図１】
2018100624.tif 000003
【図２】
2018100624.tif 000004
【図３】
2018100624.tif 000005
【図４】
2018100624.tif 000006
【図５】
2018100624.tif 000007
【図６】
2018100624.tif 000008
【図７】
2018100624.tif 000009
【図８】
2018100624.tif 000010
【図９】
2018100624.tif 000011
【国際調査報告】
2018100624.tif 000012
2018100624.tif 000013
2018100624.tif 000014
2018100624.tif 000015